(57)【要約】【課題】    本発明は、プリンタのメンテナンス時に、インクローラのインクがメンテナンスする者または清掃する者に付着することがないプリンタを提供することを課題とする。【解決手段】  タグ連続体Ｔを移送する移送手段と、前記タグ連続体Ｔに文字などを印字する印字手段と、を備えたプリンタ１において、前記タグ連続体Ｔの移送路３４の近傍にインクローラ３３を備えた仕分けマーク部５と、このインクローラ３３を収納位置と前記タグ連続体Ｔの側辺にマークを付与するマーク付与位置と間を変位可能に設けた駆動手段と、を有し、前記収納位置における前記インクローラ３３の周囲に、少なくとも一部を切り欠いた開放面を形成した壁面を設けたことを特徴とするプリンタ１にある。【選択図】    図１
2008265239.tif 000002
【特許請求の範囲】
【請求項１】
タグ連続体を移送する移送手段と、前記タグ連続体に文字などを印字する印字手段と、を備えたプリンタにおいて、
前記タグ連続体の移送路の近傍にインクローラを備えた仕分けマーク部と、
このインクローラを収納位置と前記タグ連続体の側辺にマークを付与するマーク付与位置と間を変位可能に設けた駆動手段と、を有し、
前記収納位置における前記インクローラの周囲に、少なくとも一部を切り欠いた開放面を形成した壁面を設けたことを特徴とするプリンタ。
【請求項２】
前記壁面の前記開放面に回動扉を設け、前記インクローラが収納位置に位置する時に、前記回動扉が閉じていることを特徴とする請求項１記載のプリンタ。
【請求項３】
前記駆動手段により前記インクローラを収納位置からマーク付与位置に変位する動作に伴って、前記回動扉が開くようにしたことを特徴とする請求項２記載のプリンタ。
【発明の詳細な説明】
【技術分野】
【０００１】
本発明は、タグに印字するプリンタに関し、とくに、タグの側辺にマークを付すプリンタに関する。
【背景技術】
【０００２】
図５に基づいて従来のプリンタについて説明する。
プリンタ５０は、紙類からなり、連続的に形成した長尺状のタグ連続体Ｔをロール状にしたロール状のタグ連続体Ｔを装填する用紙供給部２と、用紙供給部２から移送路３４に繰り出されたタグ連続体Ｔに印字する印字部４と、仕分マーク部５１と、切断部６を備えている。
【０００３】
仕分マーク部５１は、タグ連続体Ｔの移送路３４の近傍に設けられ、インクローラ３３と、このインクローラ３３を駆動するソレノイド２２とから構成されている。
ソレノイド２２は、プランジャ２２ａを備え、図示しない制御部からソレノイド２２に起動信号が供給されることにより、インクローラ３３がタグ連続体Ｔの側辺に向けて変位することができ、タグ連続体Ｔの側辺にマーク(印)を付与することができる。
タグ連続体Ｔの側辺にマークを付けた後に、図示しないコイルバネによりインクローラ３３を元の位置に戻るようにすることができる。
仕分マーク部５１を通過したタグ連続体Ｔは、切断部６で予め設定されたピッチでカットされ、カットされた単葉のタグＴｐはスタッカー１５に積層される。
【０００４】
仕分マーク部５１は、円柱状のスポンジに所定のインク（色）を染み込ましたインクローラ３３と、インクローラ３３を回転可能に保持する保持部（図示せず）とから構成されている。
しかし、プリンタ５０内部のメンテナンスまたは清掃する時に、インクローラ３３のインクがメンテナンス者または清掃する者に付着して汚れるなどの問題がある。また、メンテナンスの工具や清掃具などに付着して汚れるなどの問題がある。
【０００５】
特許文献１は、連続札を移送する移送部と、移送される連続札に所望の情報を印字する印字部と、連続札の印字内容が変更される部分の側端面に印を塗布する印塗布部を設けた連続札印字装置が開示されている。
【０００６】
【特許文献１】特開昭５９−１２８８号公報
【発明の開示】
【発明が解決しようとする課題】
【０００７】
本発明は、以上のような諸問題にかんがみなされたもので、プリンタのメンテナンス時に、インクローラのインクがメンテナンスする者または清掃する者に付着することがないプリンタを提供することを課題とする。
また、インクローラのインクがメンテナンスの工具類または清掃具などに付着することがないプリンタを提供することを課題とする。
また、  インクローラを意識することなく、メンテナンスまたは清掃することができ作業効率を向上するプリンタを提供することを課題とする。
【課題を解決するための手段】
【０００８】
本発明は、インクローラの動作に着目したもので、請求項１の発明の要旨は、タグ連続体を移送する移送手段と、前記タグ連続体に文字などを印字する印字手段と、を備えたプリンタにおいて、
前記タグ連続体の移送路の近傍にインクローラを備えた仕分けマーク部と、
このインクローラを収納位置と前記タグ連続体の側辺にマークを付与するマーク付与位置と間を変位可能に設けた駆動手段と、を有し、
前記収納位置における前記インクローラの周囲に、少なくとも一部を切り欠いた開放面を形成した壁面を設けたことを特徴とするプリンタにある。
また請求項２の発明の要旨は、前記壁面の前記開放面に回動扉を設け、前記インクローラが収納位置に位置する時に、前記回動扉が閉じていることを特徴とする請求項１記載のプリンタにある。
また請求項３の発明の要旨は、前記駆動手段により前記インクローラを収納位置からマーク付与位置に変位する動作に伴って、前記回動扉が開くようにしたことを特徴とする請求項２記載のプリンタにある。
【発明の効果】
【０００９】
本発明のプリンタは、メンテナンス時に、インクローラのインクがメンテナンスする者またはメンテナンスの工具類などに付着することがないようにしたので、インクローラの存在を意識することなく、メンテナンスの作業性を向上することができる。
また、プリンタの清掃する時に、インクローラのインクが清掃する者または清掃具などに付着することがないようにしたので、インクローラの存在を意識することなく、清掃の作業性を向上することができる。
【発明を実施するための最良の形態】
【００１０】
つぎに本発明の実施の形態によるプリンタを図１ないし図４にもとづき説明する。ただし、図５と同様の部分には同一符号を付し、その詳述はこれを省略する。
図１はプリンタの概略構成を示した説明図であり、図２はタグ連続体の移送方向下流側からの仕分マーク部の構成図であり、図３はタグ連続体の移送方向下流側からのインクローラ本体を説明する構成図であり、図４はインクローラ本体の動作を説明する平面図である。
【００１１】
プリンタ１は主に、用紙供給部２、ピッチ検出部３、印字部４、仕分マーク部５、切断部６、制御部７と、を備えている。
用紙供給部２には、厚紙によって形成されるとともに連続的に構成されたタグ連続体Ｔをロール状にしたタグ連続体Ｔを回転可能に保持する用紙供給軸８を設けてある。
【００１２】
ピッチ検出部３は、用紙供給部２と後述する印字部４とのタグ連続体Ｔの移送路３４に配置され、タグ連続体Ｔに所定の間隔で形成した孔部Ｔｈを検出するピッチ検出センサー１１を備えている。尚、ピッチ検出センサー１１は、透過式センサーを設けることができる。
【００１３】
ピッチ検出センサー１１は、略コの字状の形状を有し、タグ連続体Ｔをピッチ検出センサー１１のコの字状の間を移送することができる移送路３４とすることができ、このタグ連続体Ｔの下方に発光素子を、またタグ連続体Ｔの上方に受光素子（何れも図示せず）を夫々設けることができる。
このように構成したピッチ検出センサー１１は、タグ連続体Ｔに形成した孔部Ｔｈを検出することができ、ピッチ検出センサー１１からの検出結果を制御部７に供給することができる。制御部７は、ピッチ検出センサー１１からの信号に基づいて、印字開始位置、カット位置あるいはマーク付与位置の基準信号とすることができる。
【００１４】
印字部４は主に、プラテンローラ９と、サーマルヘッド１０(印字手段)と、を設けることができる。サーマルヘッド１０は、プラテンローラ９に対し接離自在に設けることができる。
またプラテンローラ(移送手段)９は、図示しないステッピングモータに接続され回転可能に設けることができ、プラテンローラ９とサーマルヘッド１０との協同により、タグ連続体Ｔを挟持して、ステッピングモータを駆動することにより、タグ連続体Ｔを移送することができ、タグ連続体Ｔの移送に伴ってサーマルヘッド１０の発熱体（図示せず）を発熱することにより文字やバーコードなどの印字情報を印字することができる。
【００１５】
切断部６は、タグ連続体Ｔの移送路３４に固定刃１２と可動刃１３とを設けることができ、ピッチ検出センサー１１の信号に基づいて、制御部７からの起動信号により可動刃１３が上方に駆動してタグ連続体Ｔを単葉のタグ（下げ札）Ｔｐとして切断することができる。
切断された単葉のタグＴｐは、後述するスタッカー１５に移送され、単葉のタグＴｐをスタッカー１５に積層することができる。
【００１６】
スタッカー１５は、一対の移送ローラ１６と、ストッパー部１７とを設けている。一対の移送ローラ１６は、略上方に傾斜した傾斜部と水平部とを一体に形成したステージ１８の傾斜部側から単葉のタグＴｐを移送することができるように配置することができる。
またステージ１８は、傾斜部から水平方向に単葉のタグＴｐを移送することができるように、図示しない無端状ベルトが水平部からやや突出した位置に設けることができる。
ストッパー１７は、水平のステージ１８上を移送される単葉のタグＴｐの先端を位置決めするストッパープレート１９を設けることができる。
スタッカー１５は、このように構成することにより、一対の移送ローラ１６により移送された単葉のタグＴｐを順次、水平部のステージ１８上を移送されて単葉のタグＴｐの下側から移送するようにして単葉のタグＴｐを積層することができる。
尚、積層される単葉のタグＴｐの最上部には、図示しないが錘を上下方向に移動可能に設けることができる。
【００１７】
このようにスタッカー１５を接続されたプリンタ１は、用紙供給部２からタグ連続体Ｔを移送路３４に繰り出すことができる。繰り出されたタグ連続体Ｔは、案内ローラ１４に案内されて、ピッチ検出センサー１１を介して印字部４に移送することができる。
移送されたタグ連続体Ｔは、制御部７からの印字信号に基づいて、プラテンローラ９が駆動するとともに、タグ連続体Ｔの表面に印字することができる。
印字されたタグ連続体Ｔは、タグ連続体Ｔに所定間隔で形成した孔部Ｔｈの間隔で切断部６で切断することができる。
切断された単葉のタグＴｐは、スタッカー１５に設けた一対の移送ローラ１６により引き込まれて、単葉のタグＴｐの先端がストッパープレート１９に当接されるまで水平のステージ１８に移送することができる。
【００１８】
次に、プリンタ１に設けた仕分マーク部５について図２ないし図４に基づいて説明する。
仕分マーク部５は、駆動部（駆動手段）２０と、インクローラ保持部２１と、隠蔽部３５と、を有している。
駆動部２０は、プリンタ１の底面を形成するベース１ａに設けられたソレノイド２２を設けることができる。ソレノイド２２は、鉛直方向に駆動可能に設けられたプランジャ２２ａを備えている。
インクローラ保持部２１は、クランク状のレバー２３と、インクローラ本体２４と、戻しコイルバネ２８と、を備えている。
クランク状のレバー２３は、上方に開放端を有した取付板２５と、略水平方向に形成したガイド板２６と、下方に開放端を有した支持板２７と、を有し、取付板２５、ガイド板２６および支持板２７は一体に形成されてクランク状を形成してある。
【００１９】
レバー２３に形成された取付板２５は、後述するインクローラ本体２４を取り付け可能にすることができる。また、ガイド板２６は、ソレノイド２２の上部に位置して、プランジャ２２ａが上方に駆動して突出することによりガイド板２６を押し上げて後述する支点軸２９を中心にレバー２３を回動可能位置に設けることができる。
さらにレバー２３を形成する支持板２７には、挿通孔３０を形成したコ字状の軸受板３１を設けることができ、ベース１ａに設けられた図示しないブラケットに水平方向に設けた支点軸２９を挿通孔３０に挿通可能に設けることができる。
また支持板２７には、軸受板３１の反対方向に設けた戻しコイルバネ２８の付勢により、支点軸２９を中心にインクローラ本体２４を左遷方向（図２中）にレバー２３を付勢することができる。
【００２０】
インクローラ本体２４は、コ字状のインクローラ取付部材３２と、円形状のインクローラ３３とから構成されている。インクローラ３３は、円柱状のスポンジに所定のインク（色）を染み込むことができる。
インクローラ３３は、インクローラ取付部材３２に回転可能に設けることができる。また、インクローラ取付部材３２は、取付板２５に差込可能な形状を有し、インクローラ取付部材３２を取付板２５に差し込むことにより、インクローラ取付部材３２を保持することができ、レバー２３とインクローラ本体２４は、一体で回動可能に設けることができる。
【００２１】
隠蔽部３５は、壁面３６と、一対の回動扉３７、３７とから構成されている。壁面３６は、インクローラ本体２４を周囲から隠蔽するとともに、上下方向に開放部を形成するコの字状のプラスチック板から構成されている。
また壁面３６は、タグ連続体Ｔの移送路３４に相対する位置に、一部きり欠いた開放面３８を形成し、この開放面３８に後述する一対の回動扉３７，３７が設けられている。
尚、壁面３６は、ベース１ａに設けた図示しない架台軸により支持されている。
【００２２】
一対の回動扉３７，３７は、壁面３６の開放端部３６ａ，３６ａに設けられた各支持軸３９，３９に設けられている。回動扉３７、３７は、壁面３６と共にインクローラ本体２４を隠蔽または開放することができる。各回動扉３７、３７には、一体で構成され所定の角度を有した補助板４１、４１とから構成されている。
尚、補助板４１，４１は、壁面３６の内方に位置することができ、さらに補助板４１，４１には扉用コイルバネ４２が設けられ、補助板４１，４１を壁面３６内方から開放面３８に向けて付勢するように設けてあり、この付勢により回動扉３７，３７を開く方向に付勢されるように設けられている。（図４参照）
インクローラ本体２４は、壁面３６と閉じられた回動扉３７，３７との内方に位置した収納位置Ｈと、タグ連続体Ｔの側辺にインクローラ３３を当接することができるマーク付与位置Ｍとの間を支点軸２９中心に回動可能に設けることができる。
【００２３】
インクローラ本体２４が収納された収納位置Ｈでは、ガイド板２６のコーナー部に各補助板４１が当接するように位置決めされ、戻しコイルバネ２８の付勢により、インクローラ本体２４が収納された収納位置Ｈの位置に付勢することができる。
また、制御部７からソレノイド２２に起動信号が供給されると、プランジャ２２ａが鉛直方向に突出してガイド板２６の底面を突き上げることができる。
プランジャ２２ａが鉛直方向に突出することにより、ガイド板２６が突き上げられインクローラ本体２４は、レバーと共にタグ連続体Ｔの側辺に向けて回動することができる。
【００２４】
インクローラ本体２４は、Ｆ方向（図４参照）に移送されるタグ連続体Ｔに向けて回動する時に、インクローラ取付部材３２に形成したフランジ３２ａが回動扉３７，３７に押し当てながらインクローラ本体２４が変位することができる。
この時に回動扉３７，３７は、フランジ３２ａに当接するとともに、扉用コイルバネ４２の付勢により容易に開くことができる。
また回動扉３７，３７は、支持軸３９，３９を中心に互いに離間する外方に向けて開くとともに、インクローラ本体２４は、支点軸２９を中心にタグ連続体Ｔの側辺に向けて回転してタグ連続体Ｔの側辺に、戻しコイルバネ２８の付勢に抗してインクローラ３３が当接するまで回動することができる。（）
尚、図４の一点鎖線で示したインクローラ３３がタグ連続体Ｔの側辺に当接した位置では、ガイド板２６など一部構成を省略して示している
【００２５】
このような動作により、インクローラ３３のインクをタグ連続体Ｔの側辺にマーク（色）付すことができる。（マーク付与位置Ｍ）
マーク付与位置Ｍでは、扉用コイルバネ４２の付勢力により一対の回動扉３７，３７は、開いた状態を維持することができる。
この時に、インクローラ本体２４と回動扉３７，３７との間には、間隙を有する程度に扉用コイルバネ４２，４２により回動扉３７，３７を付勢することができる。
【００２６】
タグ連続体Ｔの側辺にマークを付した後、戻しコイルスバネ２８の付勢によりインクローラ本体２４は収納位置Ｈに戻ることができる。
インクローラ本体２４が収納位置Ｈに戻る途中に、扉用コイルスプリング４２，４２の付勢に抗して、ガイド板２６が補助板４１，４１を支持軸３９中心に離間する方向に回動させて、一対の回動扉３７，３７を閉めながらインクローラ本体２４を収納位置Ｈに戻ることができる。
【００２７】
このように、インクローラ本体２４が収納位置Ｈでは、壁面３６と回動扉３７，３７によりインクローラ本体２４の周囲を隠蔽することができ、プリンタ１のメンテナンスや清掃時にインクローラ３３のインクが清掃者や清掃部材あるいは工具類に付着することがない。
また、意識的にインクローラ３３あるいはインクローラ３３の周囲を気にすることがなく、作業効率が向上することができる。
【００２８】
この実施の形態の壁面は、インクローラ本体を周囲から隠蔽するコの字状の形状で説明したが、円形など任意の形状とすることができる。
また壁面は、インクローラを介して対称的に設けた二枚の壁面とすることができ、この二枚の壁面は、インクローラが回動する方向に設けることができる。
さらに、インクローラ本体が収納位置に位置する時に、一対の回動扉同士が当接することなく間隙を有した例で説明したが、回動扉同士を当接するようにすることができる。
【００２９】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００３０】
【図１】本発明のプリンタの概略構成を示した説明図である。
【図２】同上、タグ連続体の移送方向下流側からの仕分マーク部の構成図である。
【図３】同上、タグ連続体の移送方向下流側からのインクローラ本体を説明する構成図である。
【図４】同上、インクローラ本体の動作を説明する平面図である。
【図５】従来のプリンタの概略構成図である。
【符号の説明】
【００３１】
１      プリンタ
４      印字部
５      仕分けマーク部      
１５      スタッカー
２０      駆動部
２１      インクローラ保持部
２２      ソレノイド
２３      レバー
２４      インクローラ本体
２５      取付板
２６      ガイド板
２７      支持板
２８      戻しコイルバネ
３２      インクローラ取付部材
３３      インクローラ
３４      移送路
３５      隠蔽部
３６      壁面
３７      回動扉
３８      開放面
４１      補助板
４２      扉用コイルバネ
５０      プリンタ（従来）
Ｔ      タグ連続体
Ｔｐ    単葉のタグ
Ｈ      収納位置
Ｍ      マーク付与位置
【図１】
2008265239.tif 000003
【図２】
2008265239.tif 000004
【図３】
2008265239.tif 000005
【図４】
2008265239.tif 000006
【図５】
2008265239.tif 000007